(57)【特許請求の範囲】
【請求項１】
スピーカキャビネット（５）、該キャビネット（５）に接続された少なくとも１つのドライバ（２）及びイコライザ（８）を含むアンプ電子装置（３）を含むアクティブスピーカ（１）におけるイコライザ設定を記憶する方法において、
前記スピーカ（１）が、前記イコライザ（８）を制御する工場較正パラメータを形成するために制御された状態において較正され、
前記イコライザ（８）を制御する前記工場較正パラメータが前記アンプ電子装置（３）に記憶される方法において、
前記工場較正パラメータが、前記スピーカ（１）に固定的に取付けられたメモリ（４）にも記憶されることを特徴とする方法。
【請求項２】
前記メモリ（４）が前記スピーカキャビネット（５）に固定的に取付けられることを特徴とする請求項１に記載の方法。
【請求項３】
前記メモリ（４）が少なくとも１つのドライバ（２）に固定的に取付けられることを特徴とする請求項１又は２に記載の方法。
【請求項４】
前記スピーカ（１）が、少なくとも前記スピーカキャビネット（５）についての情報を含む第１のメモリ（４）及び少なくともドライバ（２）についての情報を含む少なくとも１つの第２のメモリ（４）を含むことを特徴とする請求項１、２又は３に記載の方法。
【請求項５】
前記メモリ（４）が前記アンプ電子装置（３）にシリアルケーブル（７）で接続されることを特徴とする請求項１乃至４のいずれか一項に記載の方法。
【請求項６】
前記メモリ（４）が前記アンプ電子装置（３）に無線で接続されることを特徴とする請求項１乃至５のいずれか一項に記載の方法。
【請求項７】
前記メモリ（４）のインタフェース（７）が、前記スピーカ電子装置（３）の他の機能を制御するために使用されることを特徴とする請求項１乃至６のいずれか一項に記載の方法。
【請求項８】
前記メモリ（４）が、前記工場較正パラメータを含む２Ｄバーコードのようなタグ又はＲＦＩＤタグであることを特徴とする請求項１乃至７のいずれか一項に記載の方法。
【請求項９】
前記メモリ（４）が、工場パラメータへのリンクを含む２Ｄバーコードのようなタグ又はＲＦＩＤタグであることを特徴とする請求項１乃至８のいずれか一項に記載の方法。
【請求項１０】
スピーカキャビネット（５）、該キャビネット（５）に接続された少なくとも１つのドライバ（２）及び等化パラメータを記憶するメモリを有するイコライザ（８）を含むアンプ電子装置（３）を含み、
前記工場較正のバックアップ値を記憶及び再読込するために前記アンプ電子装置（３）との通信機能を有する前記キャビネット（１）に固定的に取付けられた追加のメモリ（４）を特徴とするスピーカ（１）。
【請求項１１】
前記メモリ（４）が前記スピーカキャビネット（５）に固定的に取付けられたことを特徴とする請求項１０に記載のスピーカ（１）。
【請求項１２】
前記メモリ（４）が少なくとも１つのドライバ（２）に固定的に取付けられたことを特徴とする請求項１０又は１１に記載のスピーカ（１）。
【請求項１３】
前記スピーカ（１）が、少なくとも前記スピーカキャビネット（５）についての情報を含む第１のメモリ（４）及び少なくともドライバ（２）についての情報を含む少なくとも１つの第２のメモリ（４）を含むことを特徴とする請求項１０乃至１２のいずれか一項に記載のスピーカ（１）。
【請求項１４】
前記メモリ（４）が前記アンプ電子装置（３）にシリアルケーブル（７）で接続されることを特徴とする請求項１０乃至１３のいずれか一項に記載のスピーカ。
【請求項１５】
前記メモリ（４）が前記アンプ電子装置（３）に無線で接続されることを特徴とする請求項１０乃至１４のいずれか一項に記載のスピーカ。
【請求項１６】
前記メモリ（４）のインタフェース（７）が、前記スピーカ電子装置（３）の他の機能を制御するために使用されることを特徴とする請求項１０乃至１５のいずれか一項に記載のスピーカ。
【請求項１７】
前記メモリ（４）が、前記工場較正パラメータを含む２Ｄ若しくは１Ｄバーコードのようなタグ又はＲＦＩＤタグであることを特徴とする請求項１０乃至１６のいずれか一項に記載のスピーカ。
【請求項１８】
前記メモリ（４）が、前記工場較正パラメータへのリンクを含む２Ｄ若しくは１Ｄバーコードのようなタグ又はＲＦＩＤタグであることを特徴とする請求項１７に記載のスピーカ。
【発明の詳細な説明】
【技術分野】
【０００１】
本発明は、請求項１の前文に従う方法に関する。
【０００２】
本発明はまた、装置に関する。
【０００３】
概略として、本発明はアクティブスピーカに関し、内蔵型アンプを有するスピーカ又は代替的にアクティブスピーカの各ドライバが、それ自身のフィルタ及びアンプを有する個々のオーディオチャネルを有し得る。
【０００４】
特に、本発明は、アクティブスピーカにおいてイコライザ設定を記憶及び復元するための方法並びに装置に関する。
【背景技術】
【０００５】
スピーカキャビネットにアンプが内蔵されていないスピーカシステムにおいては、アンプは、エンクロージャ及びそのドライバで通常個々に較正される。これにより、キャビネット及びアンプは、互いに整合された組合せとなる。したがって、同じ型の他のスピーカシステムのアンプを所与のエンクロージャで使用することはできない。
【０００６】
このことによって、スピーカを構成する際にいくつかの実用上の問題がもたらされる。これらは以下を含む。
・エンクロージャは通常は組立工程の初期に取付けられ、そのアンプは保管されてしまうため、アンプ−スピーカの組合せは容易に失われ得る。そして、最終的にアンプを取付ける際に、アンプ−キャビネットの組合せは正しく整合されないことがあり、システムの応答は正確でない。
・誤ったアンプが使用される場合、そのシステムの周波数応答が正しく較正されず、応答エラーがある。
・アンプの修理時に交換又は修理されたアンプは、エンクロージャで個々に較正される必要があり、アンプの修理は複雑で時間がかかり、困難となる。
【０００７】
上記の理由により、少なくとも上記の問題のいくつかを解決する方法及びスピーカを提供することが有益である。
【発明の概要】
【０００８】
第１の態様では、本発明は、工場較正パラメータをバックアップメモリに記憶するために追加のメモリを使用すること、及びそのメモリをスピーカエンクロージャに配置することに基づく。
【０００９】
本発明の一実施形態では、メモリは、ドライバの全てに対する較正パラメータの情報を含む。
【００１０】
本発明の他の態様及び実施形態によると、各ドライバに１つずつの、いくつかのメモリがある。
【００１１】
本発明の１つの更なる態様によると、メモリは、記憶された情報をアンプ電子装置に無線で転送する機能を有する。
【００１２】
より具体的には、本発明による方法は、請求項１の特徴部分に記載される事項により特徴付けられる。
【００１３】
本発明による装置は、同様に、請求項１０の特徴部分の記載される事項により特徴付けられる。
【００１４】
本発明は、いくつかの効果を提供する。
・本発明によって、あるキャビネットでアンプを個々に較正する必要がなくなる。
・正しい個々の設定が、エンクロージャで設定を読み出すことでセットされるので、同型の任意のアンプは、任意のエンクロージャで使用されることができる。
・全く同じアンプが製造され、異なるエンクロージャで使用されることができる。
・アンプはもはや個々にエンクロージャに整合されないので、製造及び予備部品サービスの節約となる。
・取付けの際に、アンプがエンクロージャに正しく整合されないというエラーがなくなり、取付け作業はより速く、容易となりかつエラーがなくなる。
・正しい較正設定の読出し及び使用が自動化し、これにより（再）較正における人的エラーがなくなる。
【００１５】
本発明の他の目的及び特徴は、添付図面と併せて検討される以下の詳細記述から明らかとなるであろう。しかし、図面は専ら説明目的のみのものであり、本発明の限定を定義するものではないことを理解すべきであり、そのために添付の請求項を参照すべきである。
【００１６】
以下の符号は、本発明を記述する用語に関連して使用される。
１  スピーカ又はアクティブスピーカ
２  ドライバ
３  アンプ電子装置
４  メモリチップ、メモリ、タグ
５  スピーカキャビネット、エンクロージャ
６  スピーカ支持体（任意）
７  スピーカ較正ケーブル
８  イコライザ
１０  電源システム
１１  信号処理プラットフォーム
１２  パワーアンププラットフォーム
１３  ドライバアンプ
１４  電気音響システム
【図面の簡単な説明】
【００１７】
【図１】図１は、本発明によるスピーカを示す。
【図２】図２は、図１のスピーカのブロック図を示す。
【発明を実施するための形態】
【００１８】
アクティブスピーカの最近のアンプは、デジタル信号処理を用いるので柔軟性を有する。これは、キャビネットの較正は、ＤＳＰ（デジタル信号処理）能力を備えたアンプユニットのメモリに正しいフィルタ係数値をセットすることにより調節が可能であることを意味する。
【００１９】
キャビネット５、ドライバ２、アンプ電子装置３並びに電力及び信号としての必要な入力（不図示）を含むアクティブスピーカ１に関する標準的な実施例を図１に示す。
【００２０】
本発明によれば、メモリチップ４はスピーカキャビネット５に内臓又は固定接続され、キャビネットにおけるこのメモリチップ４は、適切に等化されたスピーカシステムを製造するために必要な等化フィルタのための個別及び固有キャビネットに関する工場補正設定値を含む。
【００２１】
キャビネット５の内部でチップ４とアンプ電子装置３の間には、アンプ電子装置３をチップ４に接続するスピーカケーブル７を介して、通常はシリアルな通信リンクが確立される。スピーカケーブル７は、キャビネット５内部のメモリチップ４に直流電圧（電力）も供給する。
【００２２】
アンプ電子装置３は、スピーカキャビネット５内部のメモリチップ４を読み出し、メモリチップ４に記憶されたデータに従ってアンプ３内部の信号処理システムに係数値を設定する。
【００２３】
この仕組みは、新しいキャビネット５がアンプ電子装置３に接続される場合はいつでも、正しい個別キャビネットに関するイコライザ設定が常に使用されることを確実にする。
【００２４】
係数は、製造時にメモリチップ４に記憶される。メモリチップ４は、物理的にスピーカキャビネット５の内部にある。改ざん及び複製の防止のために、係数がセキュア化されることができ、スピーカ較正ケーブル７を介した通信もセキュア化及び暗号化されることができ、許可された製品のみを使用可能なシステムとなる。
【００２５】
図２によれば、アンプ電子装置３は、通常は、電源システム１０、イコライザ機能を含む信号処理プラットフォーム１１、及び各ドライバ２に対するアンプ１３を含むパワーアンププラットフォーム１２を備える。本発明によれば、メモリチップ４は、ドライバ２及びスピーカキャビネット５を備える電気音響システム１４に配置される。メモリチップ４は、信号処理プラットフォーム１１を制御するための工場較正のパラメータを含む。
【００２６】
本発明を実施するのに必要なメモリチップ４及び他の電子装置は、市場で安価かつ容易に入手可能である。スピーカ１における２つの付加的な導線７は、チップ４とアンプ電子装置３の間の通信に十分であり、この用途に必要な電流及び電圧レベルが小さいため、広い断面積を必要としない。
【００２７】
メモリチップ４がＮＦＣタグの無線ＲＦＩＤである場合もあり、その場合、アンプ３は、タグ用の適切な無線読取電子装置及びアンテナを有する必要がある。他の無線技術も使用可能である。
【００２８】
本発明の技術の更なるアプリケーションを以下に列挙する。
【００２９】
シリアルデータ通信インタフェースは、アンプからスピーカキャビネットへのケーブルハーネスをより簡素にすることができ、これにより、物理的にキャビネットに配置される他の機能へもシリアル通信リンクを介してアクセス可能となるので、コスト節減が可能となる。
【００３０】
スピーカケーブル７を介するデータリンクが存在すれば、このリンクは他の用途にも使用可能である。一例は、顧客フィードバック用にスピーカキャビネットに通常取り付けられるＬＥＤライトを含む。それは、システム電源のオン／オフＬＥＤ、クリップインジケータＬＥＤ及びシステム過負荷ＬＥＤを含む。
【００３１】
シリアルデータインタフェースは、ＬＥＤライトのオン／オフに必要なデータ伝送に更に使用可能である。
【００３２】
ＬＥＤライト駆動時には、スピーカキャビネットとアンプの相互接続ケーブル上に少なくとも１本の分離導線及び１本の共通導線が必要とされる。本発明の利用により、スピーカキャビネット−アンプの相互接続ケーブルにおいていくつかの導線が除去され得る。これにより相互接続ケーブルのコストが低減され、システムコストも同様である。
【００３３】
実際には、スピーカ１は、ドライバ２の個々の相違を補償するために、制御された状態で、例えば無響室で工場較正される。その工場較正に関するパラメータは、スピーカ１の信号処理プラットフォーム１１及びスピーカキャビネット５に配置されるメモリチップ４の双方に記憶される。そのチップはスピーカ１の全ドライバ２のパラメータを含んでいてもよいし、又は各ドライバ２がそれ自身のメモリチップ４を有していてもよい。
【００３４】
通常、スピーカの使用者は、聴音空間の欠点を補うためにその聴音場所で更なる較正を行う。本発明によれば、この聴音空間のための較正パラメータは、工場較正のためのパラメータと分離可能である。
【００３５】
言い換えると、周波数固有スピーカ較正の一般的な目標は、システムの通過帯域に亘って平坦な周波数応答を提供することである。スピーカ較正データは、周波数の関数としてのドライバの感度及び指定された周波数応答を与えるサウンド出力レベルの周波数固有の調整についての情報を含む。
【００３６】
原理的には、指定されたスピーカの周波数応答を与えるのに必要な全較正データを含む１つの較正データメモリを用いて、マルチウェイスピーカの較正を達成することが可能である。これは本発明の第１の実施形態であり、この較正データメモリはエンクロージャ５（キャビネット）に取付けられている。
【００３７】
本発明の第２の実施形態では、全較正は、エンクロージャ固有の較正を記述する一部分と、各ドライバのためのドライバ固有の較正を記述する部分とに分けられる。この第２の実施形態が使用される場合には、較正データは複数のメモリチップ４に記憶され、１つのチップがマルチウェイスピーカ１の各ドライバに対するものである。各ドライバ２がドライバ固有の較正のためのメモリを保持する場合、エンクロージャ固有の較正データもまた必要となり得る。エンクロージャ固有の較正データは、エンクロージャ５（キャビネット）に取付けられたメモリに記憶することができる。アンプ３は、エンクロージャ固有及びドライバ固有のデータを読み出し、それらを結合してマルチウェイスピーカ１に対する全較正を形成する。データの結合とは、各ドライバ２に関する周波数固有の感度情報をエンクロージャに関する周波数固有の感度情報に結び付けることを意味する。ドライバ及びエンクロージャ固有データが結合される場合、平坦な周波数応答を与える全システムの較正が作成される。
【００３８】
第２の実施形態は、いくつかの利点を提供する。１つのドライバ２がマルチウェイスピーカシステムにおいて交換され、ドライバ固有の較正はドライバ２に取り付けられたメモリ４から自動的に読み出される場合、ドライバ２はシステム起動時に自動的に正しく較正されるので、いずれか１つのドライバを交換した後でも手動での再較正は必要ない。ドライバ固有の較正データ及びエンクロージャ固有の較正データが別個のメモリ４に分離されている場合、ドライバ２はモジュール組立てブロックとなり、ドライバ固有の較正データを全く変えずに複数の別型エンクロージャ５（キャビネット）で使用可能である。これにより、サービス業務の信頼性向上、並びに設計されたスピーカ周波数応答の正確性及び再現性の向上がもたらされる。ドライバが使用される特定のエンクロージャの知識がなくても、ドライバが高精度に製造及び較正可能となる。
【００３９】
本発明の一実施形態では、メモリ４は、電子メモリ４と同じ情報又はこの情報がダウンロード可能なソースへのリンクを含む２Ｄバーコードタグ、１Ｄバーコードタグ又はＲＦＩＤタグなどの、スピーカ又はドライバ固有のタグである。
【００４０】
このアプリケーションにおいて、メモリを固定的に取り付けることは、例えばメモリ４（半導体メモリ、ＲＦＩＤタグ又は２Ｄ若しくは１Ｄのバーコードのような）のスピーカへの取付けに、接着剤、弾性接着剤、くぎ若しくはねじ、磁石、マジックテープ（登録商標）又はそれらの組合せによって、メモリ４が、直接又は取付け手段（接着剤、弾性接着剤、くぎ若しくはねじ、磁石、マジックテープ又はそれらの組合せ）を介して間接に、スピーカ、そのエンクロージャ、ドライバ又はそれらの等価物に、永久的接触を保つように取り付けることを意味する。
【００４１】
本発明の一実施形態では、スピーカは、エンクロージャに対する第１のメモリ及び少なくとも１つのドライバに対する第２のメモリといった２以上のメモリ４を有し得る。例えば、アンプ及びドライバがそのまま再利用可能であるがエンクロージャ５が損傷を受けてそのエンクロージャの更新版に交換しなくてはならない場合に、この組合せが必要とされ得る。
【図１】
0006423428.tif 000002
【図２】
0006423428.tif 000003